(57)【要約】      （修正有）【課題】商用電源や大型電源装置でない独立した低電圧の小型電源が使用でき、道路脇に設置されたポールに取り付けるのに適した小型の装置で一定の長さのライン光を照射する視線誘導標示装置及び踏切停止線照射装置を提供する。【解決手段】一の方向に配置され低電圧で発光するＬＥＤ光源３１〜３３と、ＬＥＤ光源３１〜３３と対向する位置に配置され、ＬＥＤ光源３１〜３３から放出される光を前記一の方向に拡散する拡散板１３と、ＬＥＤ光源３１〜３３と拡散板１３を収納するボックス１０を備え、前記一の方向に配置されたＬＥＤ光源３１〜３３のうち端側のＬＥＤ光源３２、３３の光軸は、拡散板１３に垂直な方向から所定の角度で傾いている視線誘導標示装置１。【選択図】図１
2019082076.tif 000002
【特許請求の範囲】
【請求項１】
一の方向に配置され低電圧で発光する複数の光源と、
前記複数の光源と対向する位置に配置され、前記複数の光源から放出される光を前記一の方向に拡散する拡散板と、
前記複数の光源と前記拡散板を収納するボックスを備え、
前記一の方向に配置された複数の光源のうち端側の光源の光軸は、前記拡散板に垂直な方向から所定の角度で傾いていること
を特徴とする視線誘導標示装置。
【請求項２】
前記所定の角度は、前記拡散板に垂直な方向から外側に１５度〜４５度であることを特徴とする請求項１記載の視線誘導標示装置。
【請求項３】
前記複数の光源に電力を供給する太陽電池電源装置と、前記ボックスをポールに取り付ける取付具をさらに備えていることを特徴とする請求項１又は請求項２記載の視線誘導標示装置。
【請求項４】
一の方向に配置され低電圧で発光する複数の光源と、
前記複数の光源と対向する位置に配置され、前記複数の光源から放出される光を前記一の方向に拡散する拡散板と、
前記複数の光源と前記拡散板を収納するボックスと、
前記複数の光源に電力を供給する太陽電池電源装置と、
前記ボックスをポールに取り付ける取付具を備え、
前記一の方向に配置された複数の光源のうち端側の光源の光軸は、前記拡散板に垂直な方向から所定の角度で傾いており、前記複数の光源から放出され前記拡散板によって拡散されたライン光を踏切の停止線に照射するようにしたこと
を特徴とする踏切停止線照射装置。
【請求項５】
前記所定の角度は、前記拡散板に垂直な方向から外側に１５度〜４５度であることを特徴とする請求項４記載の踏切停止線照射装置。
【発明の詳細な説明】
【技術分野】
【０００１】
本発明は、路面に標示された線（路面標示線）や路肩の位置を示すための誘導標示を行う視線誘導標示装置、及び、踏切と交差する道路の路面に標示された停止線を照射する踏切停止線照射装置に関するものである。
【背景技術】
【０００２】
積雪地域においては、道路に雪が積もると路面に標示された線（路面標示線）や路肩が雪に隠れて見えなくなるため、雪道を走る車両に対して路面標示線や路肩の位置を示すための誘導標示が必要となる。このため、雪が積もった道路に対してライン光を照射し、ドライバーに路面標示線や路肩の位置を視認させる装置が提案されている。
例えば、特許文献１（特開２００１−４０６２５号公報）には、凸レンズの焦点位置に発光ダイオードが対向配置されて発光ダイオードの光が凸レンズによりほぼ平行光に屈折されて放出されるようになされた自発光ユニットが数多く配設されて発光部が形成され、各自発光ユニットよりの平行光が発光部より路面に向けて放出され、この平行光により路面にスポット光としてのライン標示が描出されるようになされた路面標示装置が開示されている。
また、特許文献２（特開２０１２−１２７１０８号公報）には、内面に波形の屈折面を形成し、外面を平滑に形成したレンズを光源の前方に配置することにより、路肩にスネルの法則に基づく光の屈折でライン状に拡散した照射領域を形成する視線誘導灯が開示されている。
さらに、特許文献３（特開２０１２−１５４０８３号公報）には、積雪する道路の上方に設置され、道路面または道路の外側線等に向けて、上方から扇状光を照射して、雪道上に線状光を映し出す道路用ライン表示装置が開示されている。
【０００３】
しかしながら、特許文献１の路面標示装置では、ライン照射を行う発光部に、発光ダイオード（ＬＥＤ）を備えて平行光を放出する自発光ユニットが数多く配設されていることから、装置が大型化し、積雪による重みに耐えるだけの強度が必要となるばかりか、発光部から長時間継続してライン光を照射するためには、商用電源あるいは大容量のバッテリ等の大型電源装置が必要となり、山間部等の商用電源や大型電源装置がない地域では使用できないという問題がある。
また、特許文献２の視線誘導灯においては、レンズ４に対向して凹曲レンズ溝６の溝方向と直角方向に複数のＬＥＤ３が配置されているが、各ＬＥＤ３の光軸の方向が全て同じで、各ＬＥＤ３から放出される光（円錐状に広がった光）は、同じ角度範囲でレンズ４に入射し、レンズ４で拡散される角度範囲も同じとなることから、照射されるライン光のラインを長くするには、ＬＥＤ３をレンズ４から離してＬＥＤ３の配置間隔を長くする必要あるが、そのようにするとレンズ４の面積が大きくなってＬＥＤ３を収納するボックスが大型化し、積雪による重みに耐えるだけの強度が必要となるばかりか、落雪により歩行者や自転車等の通行の妨げになる等道路脇に設置されたポール取り付けるのに適していないという問題が生ずる。
さらに、特許文献３の道路用ライン表示装置では、多数のＬＥＤが円弧状に配置された光源より扇状光を照射するため、特許文献１と同様に、装置が大型化し、積雪による重みに耐えるだけの強度が必要となるばかりか、商用電源あるいは大容量のバッテリ等の大型電源装置が必要となり、山間部等の商用電源や大型電源装置がない地域では使用できないという問題がある。
【０００４】
次に、踏切においては、安全性を確保するため、遮断機が設けられ、車両を遮断機の手前で停止させるための停止線が路面に標示されているが、夜間等に踏切や停止線の位置等を視認させるための照明装置等を設けることが提案されている。
例えば、特許文献４（特開２０１１−１２６３５７号公報）には、道路と一または複数並ぶ線路が平面交差する踏切で、列車の接近ないし通過の有無に関わりなく、前記踏切内道路の領域全体を照らす第１光源と、列車が接近ないし通過する際に、前記踏切内道路のうち列車が通過する線路と少なくとも重なる領域を前記第１光源による照度よりも高い照度に照らす第２光源を備えた踏切照明装置が開示されている。
また、特許文献５（実用新案登録第３１２０７８９号公報）には、列車の接近を検知して検知信号を出力する列車検知センサと、光透過性を有し押圧耐性に優れたカバーを備え前記踏切の車両停止線に並行して埋設されるケースと、前記カバー側に発光面を向けて前記ケース内に収納された複数個のＬＥＤと、前記列車検知センサからの検知信号を受けて前記ＬＥＤの点灯を制御する表示制御手段とを備えた踏切道路における車両停止位置の表示装置が開示されている。
しかしながら、特許文献４の踏切照明装置では、第１光源が遮断機の間にある踏切内道路の領域全体を照らすことから、遮断機の位置より外側に標示されている停止線までは照らされず、ドライバーが停止線の位置を視認できないという問題が生ずる。
また、特許文献５の車両停止位置の表示装置では、複数個のＬＥＤを収納したケースが車両停止線に並行して埋設されており、舗装されていない道路等と交差する踏切では、発光面と対向して設けられたカバーが泥等で覆われ、ＬＥＤの光が遮断されてＬＥＤによる標示が視認できないという問題が生ずる。
さらに、遮断機や照明装置が取り付けられていない踏切では、夜間に少なくとも停止線の位置を視認させることが必要となる。
【先行技術文献】
【特許文献】
【０００５】
【特許文献１】特開２００１−４０６２５号公報
【特許文献２】特開２０１２−１２７１０８号公報
【特許文献３】特開２０１２−１５４０８３号公報
【特許文献４】特開２０１１−１２６３５７号公報
【特許文献５】実用新案登録第３１２０７８９号公報
【発明の概要】
【発明が解決しようとする課題】
【０００６】
本発明が解決しようとする課題は、商用電源や大型電源装置でない独立した低電圧の小型電源が使用でき、道路脇に設置されたポール取り付けるのに適した小型の装置で一定の長さのライン光が照射できるようし、また、踏切において、夜間等に車両の停止線を確実に視認できるようにすることである。
【課題を解決するための手段】
【０００７】
請求項１に記載の発明は、一の方向に配置され低電圧で発光する複数の光源と、前記複数の光源と対向する位置に配置され、前記複数の光源から放出される光を前記一の方向に拡散する拡散板と、前記複数の光源と前記拡散板を収納するボックスを備え、前記一の方向に配置された複数の光源のうち端側の光源の光軸は、前記拡散板に垂直な方向から所定の角度で傾いている視線誘導標示装置を提供して、上記課題を解決するものである。
【０００８】
請求項２に記載の発明は、前記所定の角度は、前記拡散板に垂直な方向から外側に１５度〜４５度である視線誘導標示装置を提供して、上記課題を解決するものである。
【０００９】
請求項３に記載の発明は、前記複数の光源に電力を供給する太陽電池電源装置と、前記ボックスをポールに取り付ける取付具をさらに備えている視線誘導標示装置を提供して、上記課題を解決するものである。
【００１０】
請求項４に記載の発明は、一の方向に配置され低電圧で発光する複数の光源と、前記複数の光源と対向する位置に配置され、前記複数の光源から放出される光を前記一の方向に拡散する拡散板と、前記複数の光源と前記拡散板を収納するボックスと、前記複数の光源に電力を供給する太陽電池電源装置と、前記ボックスをポールに取り付ける取付具を備え、  前記一の方向に配置された複数の光源のうち端側の光源の光軸は、前記拡散板に垂直な方向から所定の角度で傾いており、前記複数の光源から放出され前記拡散板によって拡散されたライン光を踏切の停止線に照射するようにした踏切停止線照射装置を提供して、上記課題を解決するものである。
【００１１】
請求項５に記載の発明は、前記所定の角度は、前記拡散板に垂直な方向から外側に１５度〜４５度である踏切停止線照射装置を提供して、上記課題を解決するものである。
【発明の効果】
【００１２】
請求項１に記載の発明の視線誘導標示装置においては、商用電源や大型電源装置でない独立した低電圧の小型電源が使用でき、道路脇に設置されたポール取り付けるのに適した小型の装置で一定の長さのライン光が照射できるという効果を奏する。
【００１３】
請求項２に記載の発明の視線誘導標示装置においては、さらに、一定以上の長さと明るさのライン光が照射できるという効果を奏する。
【００１４】
請求項３に記載の発明の視線誘導標示装置においては、請求項１又は請求項２の発明と同様の効果を奏する。
【００１５】
請求項４に記載の発明の踏切停止線照射装置においては、踏切において、夜間等に車両の停止線を確実に視認できるという効果を奏する。
【００１６】
請求項５に記載の発明の踏切停止線照射装置においては、請求項４の発明と同様の効果を奏する。
【図面の簡単な説明】
【００１７】
【図１】本発明の実施形態の視線誘導標示装置をポールに取り付けた状態の斜視図である。
【図２】図１に示す視線誘導標示装置の平面図である。
【図３】図１に示す視線誘導標示装置の正面図である。
【図４】図１に示視線誘導標示装置の右側面図である。
【図５】図３のＡ−Ａ断面図である。
【図６】図４のＢ−Ｂ断面図である。
【図７】凹凸面を上側にした状態の拡散板１３の斜視図と正面図である。
【図８】視線誘導標示装置１の電源となる太陽電池電源装置とそれに接続されるＬＥＤ回路の構成を示したブロック図である。
【図９】図８のＬＥＤ回路の回路図である。
【図１０】ボックス１０を拡散板１３が下面にくるようにして正面から見た内部の状態であって、ＬＥＤ光源３１〜３３からの光の拡散状態を示した説明図である。
【図１１】ＬＥＤ光源を２個と４個取り付けた場合の状態を示した説明図である。
【図１２】ＬＥＤ光源３１からの光が拡散板１３の長手方向と直角方向（溝１３ｍの方向）に対してどのように広がるかを示した説明図である。
【図１３】本発明の実施形態の踏切停止線照射装置を踏切に設置したポールに取り付けた状態の斜視図である。
【発明を実施するための形態】
【００１８】
本発明の実施形態について説明する。
［視線誘導標示装置］
図１は、本発明の実施形態の視線誘導標示装置をポールに取り付けた状態の斜視図、図２は、図１に示す視線誘導標示装置の平面図、図３は、図１に示す視線誘導標示装置の正面図、図４は、図１に示視線誘導標示装置の右側面図、図５は、図３のＡ−Ａ断面図、図６は、図４のＢ−Ｂ断面図である。
図において、１は視線誘導標示装置、２はポール、３、４は固定バンド、１０はボックス、１１は後ケース、１２は前ケース、１２ａは開口部、１３は拡散板、１４は光源取付板、１４ａは正面、１４ｂ、１４ｃは傾斜面、１４ｄ、１４ｅは底面、２０は取付具、２１はボックス取付具、２２は連結具、２３はポール取付具、２３ａ、２３ｂ、２３ｃ、２３ｄは挿入孔、２４ａ、２４ｂ、２４ｃ、２４ｄはネジ、２５ａ、２５ｂはナット、２６は長穴、３１、３２、３３はＬＥＤ光源である。
【００１９】
［視線誘導標示装置１の構成］
図１〜６に示すように視線誘導標示装置１は、金属製のボックス１０、金属製の取付具２０、太陽電池電源装置（後述する）等から構成されている。
ボックス１０は、直方体形状の枠体で正面部が開口された後ケース１１、直方体形状の枠体で背面部が開口された前ケース１２、拡散板１３、台形状に膨らんだ形状の光源取付板１４、ＬＥＤ光源３１〜３３等から構成されている。
ボックス１０おいては、後ケース１１の背面部の内側面に光源取付板１４の底面１４ｄ、１４ｅがネジ止め（図示せず）され、光源取付板１４の正面１４ａ、傾斜面１４ｂ、１４ｃにＬＥＤ光源３１〜３３が取り付けられ、前ケース１２の正面部の内側面に開口部１２を覆うように拡散板１３が押え板（図示せず）で押し付け固定され、後ケース１１の内側に前ケース１２が嵌め込まれてネジとナット（図示せず）により固定されている。
取付具２０は、横断面がコの字状のボックス取付具２１、横断面がコの字状の連結具２２、及び横断面が台形状のポール取付具２３から構成されている。
取付具２０においては、ボックス取付具２１の正面部がボックス１０の後ケース１１の背面部にネジとナット（図示せず）により固定され、連結具２２の背面部がポール取付具２３の正面部にネジとナット（図示せず）により固定され、ポール取付具２３が、上側の挿入孔２３ａ、２３ｂに通された固定バンド３と、下側の挿入孔２３ｃ、２３ｄに通された固定バンド４によりポール２に固定されている。
そして、ボックス取付具２１の両側面部の外側面に連結具２２の両側面部の内側面が重なるようにして、ネジ２４ａ、２４ｂ、２４ｃ、２４ｄとネット２５ａ、２５ｂによりボックス取付具２１と連結具２２連結されている。
すなわち、ボックス取付具２１と連結具２２を貫通するネジ穴にネジ２４ｃ、２４ｄがネジ込まれ、ボックス取付具２１の両側面部に設けられた円弧状の長穴２６（図５参照）と、これと重なるように連結具２２の両側面部に設けられた穴にネジ２４ａ、２４ｂが挿入され、ネジ２４ａ、２４ｂにナット２５ａ、２５ｂが螺合されている。
これにより、ナット２５ａ、２５ｂを緩めて、ボックス取付具２１をネジ２４ｃ、２４ｄを中心に回動させることができ、ポール２に対するボックス１０の取付け角度を変えることができる。
【００２０】
［拡散板１３、ＬＥＤ光源３１〜３３］
図７（ａ）は、凹凸面を上側にした状態の拡散板１３の斜視図、図７（ｂ）は、図７（ａ）の拡散板１３の正面図である。
拡散板１３は、メタクリル樹脂（アクリル樹脂）やポリエチレン樹脂等からなる透明なプラスチック板であり、図７（ａ）、（ｂ）に示すように、拡散板１３の上側の面１３ａには、円柱状の溝１３ｍと溝１３ｍによって形成されるプリズム１３ｐからなる凹凸パターンが形成され、拡散板１３の下側の面１３ｂは平滑な面となっている。
拡散板１３の上側の面１３に入射した光は、溝１３ｍ（プリズム１３ｐ）と直角方向に拡散され、溝１３ｍの曲率半径を大きくするほど拡散の度合いは大きくなる。
そして、拡散板１３は、ボックス１０前ケース１２の正面部の内側面に、溝１３ｍ（プリズム１３ｐ）がＬＥＤ光源３１〜３３と対向するように取り付けられ、ＬＥＤ光源３１〜３３からの光を、溝１３ｍ（プリズム１３ｐ）と直角方向に拡散する。
また、ＬＥＤ光源３１〜３３は、円筒状のケースの内部に発光ダイオード（ＬＥＤ）を内蔵した円筒状のケースの出射面側に凸レンズ等が取り付けられたものであり、６〜２４ボルトの低電圧の直流電源で発光するようになっている。
この場合、ＬＥＤ光源３１〜３３は、拡散板１３に対して溝１３ｍと直角方向に配置され、ＬＥＤ光源３１〜３３からの光は、溝１３ｍと直角方向に拡散されることから、ライン光として照射される。
【００２１】
［太陽電池電源装置、ＬＥＤ回路］
図８は、視線誘導標示装置１の電源となる太陽電池電源装置とそれに接続されるＬＥＤ回路の構成を示したブロック図、図９は、図８のＬＥＤ回路の回路図である。
図において、４０は太陽電池電源装置、４１はソーラーパネル、４２はコントローラー、４３はバッテリー、５０はＬＥＤ回路、５１〜５３はＬＥＤ、５４は抵抗である。
太陽電池電源装置４０は、ソーラーパネル４１、コントローラー４２及びバッテリー４３等から構成され、太陽光を受けたソーラーパネル４１が発電した電気は、コントローラー４２によってバッテリー４３に蓄電される。
ＬＥＤ回路５０は、ＬＥＤ５１、５２、５３と抵抗５４が直列に接続された回路からなり、コントローラー４２に接続されており、ＬＥＤ５１、５２、５３は、ＬＥＤ光源３１、３２、３３の発光素子である。
コントローラー４２は、ソーラーパネル４１が発電した電気をバッテリー４３に流し、ソーラーパネル４１が発電しなくなると、バッテリー４３に蓄えられた電気をＬＥＤ回路５０に流し、ＬＥＤ５１、５２、５３を発光させる。
これにより、昼間はソーラーパネル４１によって発電された電気がバッテリー４３に蓄えられ、夜間にバッテリー４３に蓄えられ電気がＬＥＤ回路５０に供給されてＬＥＤ５１、５２、５３が発光し、ＬＥＤ光源３１、３２、３３から光が照射される。
ＬＥＤ光源３１〜３３（ＬＥＤ５１〜５３）は、６〜２４ボルトの低電圧の直流電源で発光するため、ソーラーパネル４１は、縦横の大きさが２００〜４００ｍｍ程度で容量が５〜１５Ｗ程度の小型のものでよく、バッテリー４３も電池容量が１２〜２４Ａｈの小型のものでよく、太陽電池電源装置４０を独立した小型のものとすることができる。
【００２２】
［視線誘導標示装置１によるライン光の照射］
次に、視線誘導標示装置１によるライン光の照射について説明する。
図１０は、ボックス１０を拡散板１３が下面にくるようにして正面から見た内部の状態であって、ＬＥＤ光源３１〜３３からの光の拡散状態を示した説明図である。
図において、Ａ３１、Ａ３２、Ａ３３はＬＥＤ光源３１、３２、３３の光軸、Ｌ１ａ、Ｌ１ｂ、Ｌ２ａ、Ｌ２ｂ、Ｌ３ａ、Ｌ３ｂはＬＥＤ光源３１、３２、３３からの光線、Ｐ１、Ｐ２、Ｐ３はＬＥＤ光源３１、３２、３３から照射される光の角度範囲である。
図１０に示すように、ＬＥＤ光源３１の光軸Ａ３１は、拡散板１３と垂直方向にあり、ＬＥＤ光源３２の光軸Ａ３２は、拡散板１３と垂直方向な方向から外側（ＬＥＤ光源３１からみてＬＥＤ光源３２側）にθの角度で傾いており、ＬＥＤ光源３３の光軸Ａ３３は、拡散板１３と垂直方向な方向から外側（ＬＥＤ光源３１からみてＬＥＤ光源３３側）にθの角度で傾いている。
そして、ＬＥＤ光源３１からの光（光線）は、拡散板１３に当たって溝１３ｍと直角方向に拡散されて角度範囲Ｐ１の光線Ｌ１ａ、Ｌ１ｂとなり、ＬＥＤ光源３２とＬＥＤ光源３３からの光も、拡散板１３に当たって溝１３ｍと直角方向に拡散されてそれぞれ角度範囲Ｐ２の光線Ｌ２ａ、Ｌ２ｂと角度範囲Ｐ３の光線Ｌ３ａ、Ｌ３ｂとなる。
角度範囲Ｐ１の光線Ｌ１ａ、Ｌ１ｂと角度範囲Ｐ２の光線Ｌ２ａ、Ｌ２ｂと角度範囲Ｐ３の光線Ｌ３ａ、Ｌ３ｂは、拡散板１３から一定距離離れた位置で繋がってライン光となり、路肩や路面等に照射される。
この場合、ＬＥＤ光源３２、３３が取り付けられる光源取付板１４の傾斜面１４ｂ、１４ｃの傾斜角度を変えることにより、ＬＥＤ光源３２、３３の光軸Ａ３２、Ａ３３の角度θを変えることができ、角度θが大ききほど照射されるライン光は長くなるが照度は低くなる。
視線誘導標示装置１により路肩や路面等に照射されるライン光は、一定以上の長さと明るさの光とする必要があり、そのためには、角度θを１５度〜４５度とすることが好ましく、特に角度θを３０度とすることが最も好ましい。
【００２３】
また、ＬＥＤ光源の数は、上記実施形態のように３個に限定されるものではなく、２個、４個あるいはそれ以上であってもよい。
図１１は、ＬＥＤ光源を２個と４個取り付けた場合の状態を示した説明図であり、図において、１５、１６は光源取付板、１５ａ、１５ｂ、１６ａ〜１６ｄは傾斜面、３４〜３９はＬＥＤ光源、Ａ３０は拡散板１３に垂直な線、Ａ３４〜Ａ３９はＬＥＤ光源３４〜３９の光軸である。
ＬＥＤ光源を２個とする場合は、図１１（ａ）に示すように、光源取付板１５をＶ字状の傾斜面１５ａ、１５ｂを備えたものとして、傾斜面１５ａ、１５ｂにＬＥＤ光源３４、３５を取り付ければよい。
このとき、ＬＥＤ光源３４、３５の光軸Ａ３４、３５は、線Ａ３０に対してθ１の角度で傾いている。角度θ１は、１５度〜４５度が好ましく、特に３０度が最も好ましい
また、ＬＥＤ光源を４個とする場合は、図１１（ｂ）に示すように、光源取付板１６を傾きの異なる傾斜面１６ａ、１６ｂと傾斜面１６ｃ、１６ｄを備えたものとして、傾斜面１６ａ、１６ｂ、１６ｃ、１６ｄにＬＥＤ光源３６、３７、３８、３９を取り付ければよい。
このとき、ＬＥＤ光源３６、３７の光軸Ａ３６、３７は、線Ａ３０に対してθ２の角度で傾いており、ＬＥＤ光源３８、３９の光軸Ａ３８、３９は、線Ａ３０に対してθ３の角度で傾いている。角度θ３は、角度θ２より大きく、１５度〜４５度とするのが好ましく、特に３０度とするのが最も好ましい
【００２４】
ここで、ＬＥＤ光源３１〜３３から照射されるライン光をラインと直角方向に収束させる手段について説明する。
図１２は、ＬＥＤ光源３１からの光が拡散板１３の長手方向と直角方向（溝１３ｍの方向）に対してどのように広がるかを示した説明図であり、同図（ａ）は、ＬＥＤ光源３１からの光が拡散板１３のみを透過する場合、同図（ｂ）は、リニアフレネルレンズと拡散板１３を透過する場合を示している。
図において、６０はリニアフレネルレンズ、Ｍ１ａ、Ｍ１ｂ、Ｍ２ａ、Ｍ２ｂはＬＥＤ光源３１からの光線、Ｑ１は光線Ｍ１ａ、Ｍ１ｂの角度範囲、Ｑ２は光線Ｍ２ａ、Ｍ２１ｂの角度範囲である。
図１２（ａ）に示すように、ＬＥＤ光源３１からの光（光線）は、拡散板１３では、溝１３ｍの方向には屈折されず、角度範囲Ｑ１の光線Ｍ１ａ、Ｍ１ｂとなって路肩や路面等に照射される。
これに対して図１２（ｂ）に示すように、拡散板１３のＬＥＤ光源３１側にリニアフレネルレンズ６０をそのレンズ面が拡散板１３側にくるように配置すると、ＬＥＤ光源３１からの光（光線）は、リニアフレネルレンズ６０で光軸Ａ３１に収束するように屈折され、角度範囲Ｑ１より狭い角度範囲Ｑ２の光線Ｍ２ａ、Ｍ２ｂとなって路肩や路面等に照射される。
他のＬＥＤ光源３２、３３からの光も、ＬＥＤ光源３１からの光と同様にリニアフレネルレンズ６０によって、光軸Ａ３１に収束するように屈折されて路肩や路面等に照射される。
よって、ＬＥＤ光源３１〜３３から照射されるライン光のラインと直角方向の幅が広くなり、ライン光が一定の明るさにならない場合は、ＬＥＤ光源３１〜３３と拡散板１３の間にリニアフレネルレンズ６０を設置することにより、上記ライン光のラインと直角方向の幅を狭くし、一定の明るさのライン光とすることができる。
【００２５】
［踏切停止線照射装置］
次に、踏切停止線照射装置について説明する。
図１３は、本発明の実施形態の踏切停止線照射装置を踏切に設置したポールに取り付けた状態の斜視図である。
図において、７０、８０は踏切停止線照射装置、７１、８１は取付具、７２、７３、８２、８３は固定バンド、９１、９２はポール、９３は線路、９４は道路、９５、９６は停止線、ＬＢ１、ＬＢ２はライン光である。
図１３に示すようには踏切停止線照射装置７０は、ボックス１０、取付具２０と同じ構造でボックス１０を取り付ける向きが異なる取付具７１、太陽電池電源装置４０（図示せず）等から構成され、踏切停止線照射装置８０は、踏切停止線照射装置７０と同一構造であり、取付具８１、太陽電池電源装置４０（図示せず）等から構成されている。
道路９４は、踏切９３と交差し、踏切９３の前後に停止線９５、９６が標示され、停止線９５、９６の横の道路９４から外れた位置に、Ｌ字型のポール９１、９２が設置されている。
踏切停止線照射装置７０は、ポール９１の水平部分に固定バンド７２、７３で固定され、踏切停止線照射装置８０も、ポール９２の水平部分に固定バンド８２、８３で固定されている。
そして、踏切停止線照射装置７０のボックス１０の内部に取り付けられたＬＥＤ光源から、停止線９５を覆うライン光ＬＢ１が照射され、踏切停止線照射装置８０のボックス１０の内部に取り付けられたＬＥＤ光源から、停止線９６を覆うライン光ＬＢ２が照射される。
これにより、踏切９３に遮断機や照明装置が取り付けられていなくても、踏切を渡るドライバー等に対して、夜間に停止線９５、９６の位置を視認させることできる。
【産業上の利用可能性】
【００２６】
本発明の視線誘導標示装置は、商用電源や大型電源装置でない独立した低電圧の小型電源が使用でき、道路脇に設置されたポール取り付けるのに適した小型の装置で一定の長さのライン光を路肩や路面等に照射できるものであり、本発明の踏切停止線照射装置は、踏切において夜間等に車両の停止線を照射して確実にその位置を視認できるようにするものである。
【符号の説明】
【００２７】
１  視線誘導標示装置
２  ポール
３、４  固定バンド
１０  ボックス
１１  後ケース
１２  前ケース
１２ａ  開口部
１３  拡散板
１３ｍ  溝
１３ｐ  プリズム
１４  光源取付板
１４ａ  正面
１４ｂ、１４ｃ  傾斜面
１４ｄ、１４ｅ  底面
１５  光源取付板
１５ａ、１５ｂ  傾斜面
１６  光源取付板
１６ａ〜１６ｄ  傾斜面
２０  取付具
２１  ボックス取付具
２２  連結具
２３  ポール取付具
２３ａ、２３ｂ、２３ｃ、２３ｄ  挿入孔
２４ａ、２４ｂ、２４ｃ、２４ｄ  ネジ
２５ａ、２５ｂ  ナット
２６  長穴
３１〜３９  ＬＥＤ
４０  太陽電池電源装置
４１  ソーラーパネル
４２  コントローラー
４３  バッテリー
５０  ＬＥＤ回路
５１〜５３  ＬＥＤ
５４  抵抗
６０  リニアフレネルレンズ
７０、８０  踏切停止線照射装置
７１、８１  取付具
７２、７３、８２、８３  固定バンド
９１、９２  ポール
９３  線路
９４  道路
９５、９６  停止線
Ａ３０  線
Ａ３１、Ａ３２、Ａ３３、Ａ３４、Ａ３５、Ａ３６、Ａ３７、Ａ３８、Ａ３９  光軸
Ｌ１ａ、Ｌ１ｂ、Ｌ２ａ、Ｌ２ｂ、Ｌ３ａ、Ｌ３ｂ  光線
ＬＢ１、ＬＢ２  ライン光
Ｍ１ａ、Ｍ１ｂ、Ｍ２ａ、Ｍ２ｂ  光線
Ｐ１、Ｐ２、Ｐ３、Ｑ１、Ｑ２  角度範囲
【図１】
2019082076.tif 000003
【図２】
2019082076.tif 000004
【図３】
2019082076.tif 000005
【図４】
2019082076.tif 000006
【図５】
2019082076.tif 000007
【図６】
2019082076.tif 000008
【図７】
2019082076.tif 000009
【図８】
2019082076.tif 000010
【図９】
2019082076.tif 000011
【図１０】
2019082076.tif 000012
【図１１】
2019082076.tif 000013
【図１２】
2019082076.tif 000014
【図１３】
2019082076.tif 000015